(57)【要約】      （修正有）【課題】環境下で生分解する材料を用いることにより、ゴミの減量化や海中の生態系への影響を減じたりすることができる環境への負荷の低い袋であり、かつ、含水量の多い竹製の箸を用いても、内部の湿度が上昇するのを抑制する、透湿性の高い袋を提供する。【解決手段】折り部１２ａで二つ折りされた矩形状のセロファン１２の三つの縁部１４ａが接合され、内部に箸１３ａや楊枝などの食事用品が密封された三方袋である。【選択図】図１
0003221575.tif 000002
【実用新案登録請求の範囲】
【請求項１】
二つ折りされた矩形状のセロファンの三つの縁部が接合され、内部に食事用品が密封された三方袋。
【請求項２】
前記食事用品は、箸、楊枝、ストローから選ばれる少なくとも１種である請求項１に記載の三方袋。
【請求項３】
前記の接合は、接着剤による接合又は型押し一体化による接合である請求項１又は２に記載の三方袋。
【考案の詳細な説明】
【技術分野】
【０００１】
この考案は、箸、楊枝、ストロー等の食事用品が密封された三方袋に関する。
【背景技術】
【０００２】
コンビニやスーパー等で販売される弁当や飲料には、箸や楊枝、ストロー等が付属したり、無償で提供されたりする場合がある。この箸や楊枝、ストロー等は、衛生上の観点から、袋に密封されているものが多い。このような密封袋として、紙製の密封袋が知られている。
【０００３】
しかし、紙製の密封袋の場合、中身が見えないため、箸に楊枝が同封されている場合、開封する際に楊枝でケガをするおそれがある。
【０００４】
これに対し、特許文献１や特許文献２等に記載されている密封箸袋等が知られている。
これらに記載の密封箸袋は、いずれも袋の材質として、合成樹脂フィルムが用いられている。合成樹脂フィルムは、透明性を有しており、袋内に楊枝が入っている場合、楊枝の視認が可能であり、開封の際に楊枝でケガをするのを防止できる。
【先行技術文献】
【特許文献】
【０００５】
【特許文献１】登録実用新案第３０４３１２５号公報
【特許文献２】登録実用新案第３１６８７７６号公報
【考案の概要】
【考案が解決しようとする課題】
【０００６】
しかし、特許文献１や特許文献２に記載の密封箸袋に用いられる合成樹脂フィルムは、使用後、棄却されることが多く、その処理が問題となる場合がある。この合成樹脂フィルムは、燃焼時の発熱量が多く、燃焼処理中に燃焼炉を傷める恐れがある。また、これらを埋め立て処理することも考えられるが、その化学的、生物的安定性のためほとんど分解せず残留し、埋立地の寿命を短くする等の問題がある。さらに、これらが海洋投棄されると、その化学的、生物的安定性から、そのまま海中で微細化し、浮遊するため、海中の生態系に影響を及ぼすおそれがある。
【０００７】
また、最近の弁当等に付属される箸として、木製のもの以外に、竹製のものが増えている。この竹製の箸は、木製の箸に比べて、含水量が多い傾向がある。このため、竹製の箸を合成樹脂フィルムで密封すると、合成樹脂フィルムの透湿性の低さから、袋内部の湿度が上昇し、竹製の箸にカビが発生するおそれが高くなる。
【０００８】
そこでこの考案は、環境下で生分解する材料を用いることにより、ゴミの減量化や海中の生態系への影響を減じたりすることができる環境への負荷の低い袋であり、かつ、竹製の箸を用いても、内部の湿度が上昇するのを抑制する、透湿性の高い袋を提供することを目的とする。
【課題を解決するための手段】
【０００９】
本考案者が検討を行った結果、所定の密封袋を用いることにより、前記課題を解決することができることを見出し、本考案を完成させた。
すなわち、本考案は以下を要旨とする。
【００１０】
［１］二つ折りされた矩形状のセロファンの三つの縁部が接合され、内部に食事用品が密封された三方袋。
［２］前記食事用品は、箸、楊枝、ストローから選ばれる少なくとも１種である［１］に記載の三方袋。
［３］前記の接合は、接着剤による接合又は型押し一体化による接合である［１］又は［２］に記載の三方袋。
【考案の効果】
【００１１】
この考案にかかる食事用品が密封された三方袋は、セロファンから構成されるので、生分解性を有する。このため、地中や海中で分解するため、ゴミの減量化や海中の生態系への影響を減じたりすることができ、環境への負荷を下げることができる。
また、セロファンは、透湿性を有するので、竹製の箸を内部に収納しても、袋内部の湿度が上昇するのを抑制でき、袋内の竹製の箸にカビが生じるのを抑制できる。
【図面の簡単な説明】
【００１２】
【図１】（ａ）この考案にかかる箸を密封した三方袋の例を示す正面図、（ｂ）（ａ）のｂ−ｂ断面図
【図２】（ａ）この考案にかかる楊枝を密封した三方袋の例を示す正面図、（ｂ）（ａ）のｂ−ｂ断面図
【図３】（ａ）この考案にかかるストローを密封した三方袋の例を示す正面図、（ｂ）（ａ）のｂ−ｂ断面図
【図４】（ａ）図１の三方袋を広げた状態を示す正面図、（ｂ）（ａ）の中央折り曲げ線で折り曲げ、端部を接合した状態を示す正面図、（ｃ）（ｂ）の接合部の一部の拡大正面図、（ｄ）（ｃ）のｄ−ｄ断面図
【図５】（ａ）図２の三方袋を広げた状態を示す正面図、（ｂ）（ａ）の中央折り曲げ線で折り曲げ、端部を接合した状態を示す正面図、（ｃ）（ｂ）の接合部の一部の拡大正面図、（ｄ）（ｃ）のｄ−ｄ断面図
【考案を実施するための形態】
【００１３】
以下、この考案について実施形態を挙げて説明する。
この考案は、二つ折りされた矩形状のセロファンの三つの縁部が接合され、内部に食事用品が密封された三方袋（以下、本明細書において、「食事用品密封三方袋」と称することがある。）にかかる考案である。
【００１４】
この考案にかかる食事用品密封三方袋の例として、図１〜図３に示す三方袋をあげることができる。図１（ａ）（ｂ）に示す三方袋１１ａは、二つ折りされた矩形状のセロファン１２の中に箸１３ａを入れ、前記セロファン１２の三つの縁部を接合して接合部１４ａが形成された、箸を密封した三方袋（以下、本明細書において、「箸密封三方袋」と称することがある。なお、一般的には「完封箸袋」と称される。）である。
【００１５】
ここで使用される箸としては、割り箸でもよく、初めから２本に分かれた箸であってもよい。この箸の材質としては、木製、竹製、プラスチック製等、任意の材質の箸を用いることができる。
また、この箸密封三方袋には、箸以外のもの、例えば楊枝を必要に応じて同封することができる。
【００１６】
また、図２（ａ）（ｂ）に示す三方袋１１ｂは、二つ折りされた矩形状のセロファン１２の中に楊枝１３ｂを入れ、前記セロファン１２の三つの縁部を接合して接合部１４ｂが形成された楊枝を密封した三方袋（以下、本明細書において、「楊枝密封三方袋」と称することがある。）である。
【００１７】
ここで使用される楊枝は、爪楊枝や小楊枝とよばれる楊枝を含む。この楊枝の材質としては、木製、竹製等、任意の材質の楊枝を用いることができる。
【００１８】
また、図３（ａ）（ｂ）に示す三方袋１１ｃは、二つ折りされた矩形状のセロファン１２の中にストロー１３ｃを入れ、前記セロファン１２の三つの縁部を接合して接合部１４ｃが形成されたストローを密封した三方袋（以下、本明細書において、「ストロー密封三方袋」と称することがある。）である。このストローは、一般的にプラスチック製であるが、特に限定されない。
【００１９】
前記箸密封三方袋１１ａは、次の方法で製造される。まず、図示しないが、必要に応じて、セロファンに図柄等を印刷する。また、図４（ａ）に示すように、矩形状のセロファン１２の四辺の縁に接着剤を塗工して接着層１５が設けられる。このセロファンの中央部の二つ折り部１２ａで、接着層１５同士が対向するように折り曲げる。この際、内部に箸１３ａが挿入される。そして、セロファンの三方の縁部を押圧し、封をすることにより、接合部１４ａが形成され、図４（ｂ）に示すように、箸密封三方袋が製造される。
この押圧の際、図４（ｃ）に示すように、エンボス１６を形成させる。この接合部１４ａは、図４（ｄ）に示すように、２枚の矩形状のセロファン１２の間に接着層１５を有し、矩形状のセロファン１２同士を接合すると共に、エンボス１６により、矩形状のセロファン１２と接着層１５との間の横ずれを抑制でき、接合部の接合強度を向上させることができる。
【００２０】
この箸密封三方袋１１ａは、セロファンのロールを用いることにより、連続して製造することができる。まず、必要に応じて、所定幅のセロファンロールから引き出されたセロファンに、図柄等の印刷を行う。次いで、側端面に接着層１５を設けながら、セロファンの先端部からセロファンの流れ方向と同方向の二つ折り部１２ａで折り曲げていく。そして、その折り曲げられたセロファンの間に箸１３ａを挿入する。
次いで、セロファンの流れ方向の長さが所定の長さになったときに、セロファンの後端部を切断しながら、切断部の両端縁に接着層１５を設ける。そして、接着層１５のある三方の縁部にエンボス１６を形成しながら押圧することにより、接合部１４ａを形成する。これにより、矩形状のセロファン１２が二つ折りされ、内部に箸１３ａが封入された箸密封三方袋１１ａが製造される。
なお、前記の通り、切断部の両端縁に接着層１５を設けるので、切断された次のセロファンの先端縁には、既に接着層１５が形成されている。
【００２１】
次に、前記楊枝密封三方袋１１ｂは、次の方法で製造される。まず、図示しないが、必要に応じて、セロファンに図柄等を印刷する。また、図５（ａ）に示すように、四辺の縁に接着層１５を設けることなく、矩形状のセロファン１２の中央部の二つ折り部１２ａで、セロファンの端縁部同士及び側縁部同士が対向して重なるように折り曲げる。この際、内部に楊枝１３ｂが挿入される。そして、セロファンの三方の縁部に凹凸部１７を設けながら型押しし、２枚の重ねられたセロファンを一体化させる。この型押し一体化により、セロファンの三方の縁部が接合されて接合部１４ｂが形成され、図５（ｂ）に示すように、楊枝密封三方袋が製造される。
この型押し一体化により、図５（ｃ）（ｄ）に示すような凹凸が狭い間隔で設けられる。この凹凸を狭い間隔で設けることにより、２枚のセロファンが外れにくくなり、接合部１４ｂを保持することが可能となる。
【００２２】
この楊枝密封三方袋１１ｂは、セロファンのロールを用いることにより、連続して製造することができる。この方法は、三方の縁部において、接着層１５を設けないこと、及びエンボスを形成させながら押圧する代わりに、型押し一体化を行うこと以外、前記箸密封三方袋１１ａの連続製法と同様の方法を採用することができる。
【００２３】
また、前記ストロー密封三方袋１１ｃの製造法、及び連続製造法については、前記楊枝密封三方袋１１ｂと同じ方法を採用することができる。
【００２４】
次に、使用する材料について説明する。
まず、セロファンは、セルロースをアルカリ存在下、二硫化炭素と反応させてビスコースを得、次いで、中和してセルロースに再生させたものである。このセロファンとしては、普通セロファンとして製造されている、フィルム形状のものをそのまま用いることができる。
また、接着層１５を構成する接着剤としては、澱粉糊、ポリビニルアルコール（ＰＶＡ）等の水性接着剤があげられる。
【００２５】
この考案で得られる食事用品密封三方袋は、袋がセロファン製であるため、生分解性に優れ、ゴミの減量化や海中の生態系への影響を減じたりすることができ、環境負荷を低下させることができる。
また、この考案で得られる食事用品密封三方袋は、食事用品が木製や竹製、特に竹製であって、十分に乾燥されず、水分が内部に残っている状態で密封袋に挿入された場合であっても、袋が透湿度の高いセロファン製であるため、袋内の湿度が高くなるのを防止でき、カビの発生を防止できる。
【００２６】
さらに、この考案で得られる食事用品密封三方袋は、袋がセロファン製であるため、特別に切り込みやミシン目を設けなくても、容易に袋を裂くことができ、袋内の食事用品を取り出すことが容易であり、易開封性に優れる。
また、この考案で得られる食事用品密封三方袋は、袋がセロファン製であるため、静電気が発生しにくく、埃が付きにくく、衛生的観点から好ましい。
【００２７】
さらに、この考案で得られる食事用品密封三方袋は、袋がセロファン製であり、紙と同様のセルロースからできているので、インク等の種類や配合、その他の細かい調整が必要となる点を除けば、紙の食事用品密封三方袋の製造機械をそのまま使用でき、新たな製造機械の準備は不要となる。また、合成樹脂フィルムからなる三方袋は、袋製造工程と印刷工程が別工程となるため、小ロットでの生産には向かないが、セロファンからなる三方袋は、袋製造機に印刷機を一体化した紙の三方袋用の機械を使用できるので、紙の三方袋と同様に、小ロットの生産も可能となると共に、合成樹脂フィルムからなる三方袋の製造に比べて、効率よく袋を製造することができる。
【００２８】
さらにまた、この考案で得られる食事用品密封三方袋は、袋が透明なので、内部に箸と共に楊枝を入れた場合でも、中身を視認することができるので、開封時の楊枝によるケガを防止できる。
【符号の説明】
【００２９】
１１ａ  箸密封三方袋
１１ｂ  楊枝密封三方袋
１１ｃ  ストロー密封三方袋
１２  矩形状のセロファン
１２ａ  二つ折り部
１３ａ  箸
１３ｂ  楊枝
１３ｃ  ストロー
１４ａ  接合部
１４ｂ  接合部
１４ｃ  接合部
１５  接着層
１６  エンボス
１７  凹凸部
【図１】
0003221575.tif 000003
【図２】
0003221575.tif 000004
【図３】
0003221575.tif 000005
【図４】
0003221575.tif 000006
【図５】
0003221575.tif 000007